(57)【要約】【課題】本発明は、安価な構成で利用者に所定の情報を提供することができるエレベータの情報配信システムを得ることを目的とするものである。【解決手段】乗場発光制御装置８及びかご発光制御装置９は、各ＬＥＤ４ａ〜８ａの発光周期を変調し、各ＬＥＤ４ａ〜８ａを点滅させることにより、各ＬＥＤ４ａ〜８ａから光信号をなす可視光を放射させる。各ＬＥＤ４ａ〜８ａから放射された光信号は、利用者が所持し受光部１０ａ及び表示部１０ｂを有する情報端末１０により受信される。乗場発光制御装置８及びかご発光制御装置９は、各ＬＥＤ４ａ〜８ａからの光信号を通じて、情報端末１０に運転情報及び一般情報の一方又は両方を所定の情報として配信する。【選択図】図１
2009023736.tif 000002
【特許請求の範囲】
【請求項１】
呼び登録状況を視覚的に利用者に知らせるための発光素子を有し、かご及び乗場の少なくともいずれか一方に設けられ、利用者に操作される操作盤、及び
上記発光素子の発光・消灯を制御するとともに、上記発光素子の発光周期を変調して、光信号をなす可視光を上記発光素子から放射させ、利用者が所持し受光部を有する情報端末に上記光信号を通じて所定の情報を配信する発光制御部
を備えていることを特徴とするエレベータの情報配信システム。
【請求項２】
かごの運転状況を視覚的に利用者に知らせるための発光素子を有し、上記かご及び乗場の少なくともいずれか一方に設けられた表示器、及び
上記発光素子の発光・消灯を制御するとともに、上記発光素子の発光周期を変調して、光信号をなす可視光を上記発光素子から放射させ、利用者が所持し受光部を有する情報端末に上記光信号を通じて所定の情報を配信する発光制御部
を備えていることを特徴とするエレベータの情報配信システム。
【請求項３】
発光素子を有し、かご及び乗場の少なくともいずれか一方に設けられた照明機器、及び
上記発光素子の発光・消灯を制御するとともに、上記発光素子の発光周期を変調して、光信号をなす可視光を上記発光素子から放射させ、利用者が所持し受光部を有する情報端末に上記光信号を通じて所定の情報を配信する発光制御部
を備えていることを特徴とするエレベータの情報配信システム。
【請求項４】
上記所定の情報とは、上記かごの運転状況に関わる運転情報と、エレベータの設置環境に関わる一般情報との少なくともいずれか一方であることを特徴とする請求項１から請求項３までのいずれか１項に記載のエレベータの情報配信システム。
【発明の詳細な説明】
【技術分野】
【０００１】
この発明は、かご内に乗車している利用者の情報端末、又は乗場でかごの到着を待つ利用者の情報端末に、所定の情報を配信するエレベータの情報配信システムに関するものである。
【背景技術】
【０００２】
従来のエレベータの情報表示システムでは、かご内表示パネルがかごに設けられており、そのかご内表示パネルの画面上に表示された２次元コードを、利用者が情報端末に読み取らせることによって、情報端末の画面に広告情報等が表示される（例えば、特許文献１参照）。
【０００３】
また、従来の開閉扉遠隔操作システムでは、利用者が所持する情報端末と開閉扉装置に設けられた本体通信部との間で光通信（又は電波通信）による情報の送受信が行われる（例えば、特許文献２参照）。
【０００４】
【特許文献１】特開２００６−１９３２７６号公報
【特許文献２】特開２００２−１２１９６４号公報
【発明の開示】
【発明が解決しようとする課題】
【０００５】
特許文献１に示すような従来のエレベータの情報表示システムでは、かご位置表示器とは別にかご内表示パネルをかごの内部に設置する必要があり、また、特許文献２に示すような従来の開閉扉遠隔操作システムでは、光通信用の特殊な操作盤又は通信器を乗場に設置する必要があり、特許文献１，２のいずれのものでも、設置コストが増加していた。
【０００６】
この発明は、上記のような課題を解決するためになされたものであり、安価な構成で利用者に所定の情報を提供することができるエレベータの情報配信システムを得ることを目的とする。
【課題を解決するための手段】
【０００７】
この発明に係るエレベータの情報配信システムは、呼び登録状況を視覚的に利用者に知らせるための発光素子を有し、かご及び乗場の少なくともいずれか一方に設けられ、利用者に操作される操作盤、及び発光素子の発光・消灯を制御するとともに、発光素子の発光周期を変調して、光信号をなす可視光を発光素子から放射させ、利用者が所持し受光部を有する情報端末に光信号を通じて所定の情報を配信する発光制御部を備えているものである。
【発明の効果】
【０００８】
この発明のエレベータの情報配信システムは、発光制御部によって発光素子の発光周期が変調されて、操作盤の発光素子から光信号をなす可視光が放射され、その光信号を通じて所定の情報が情報端末に配信されるので、従来のシステムのようなかご内表示パネル等が不要となることにより、安価な構成で利用者に所定の情報を提供することができる。
【発明を実施するための最良の形態】
【０００９】
以下、この発明を実施するための最良の形態について、図面を参照して説明する。
実施の形態１．
図１は、この発明の実施の形態１によるエレベータの情報配信システムを示す構成図である。
図において、かご１は、昇降路内を昇降される。また、かご１の運転は、運転制御部としてのエレベータ制御盤２によって制御される。エレベータ制御盤２には、複数のエレベータを一群として管理する群管理盤３が接続されている。エレベータ制御盤２は、群管理盤３からの運転指令に基づいて、かご１の運転を制御する。
【００１０】
建物の各階の乗場には、かご１の位置及び昇降方向を表示するための乗場表示器４と、利用者に操作される乗場操作盤５とが設けられている。かご１の内部には、かご１の位置及び昇降方向を表示するかご表示器６と、利用者に操作されるかご操作盤７とが設けられている。
【００１１】
乗場表示器４及びかご表示器６は、かご１の運転状況を視覚的に利用者に知らせるための複数のＬＥＤ（Ｌｉｇｈｔ  Ｅｍｉｔｔｉｎｇ  Ｄｉｏｄｅ；発光ダイオード）４ａ，６ａを発光素子として有している。これらのＬＥＤ４ａ，６ａは、それぞれマトリクス状に並べて配置されており、全体のうちの一部のＬＥＤ４ａ，６ａが発光することによって、かご１の位置及び昇降方向を示す文字や記号等を形成する。
【００１２】
乗場操作盤５及びかご操作盤７は、利用者により押圧される複数のボタン（図示せず）と、それらのボタンに組み込まれた発光素子としての複数のＬＥＤ５ａ，７ａをそれぞれ有している。乗場操作盤５及びかご操作盤７の操作内容は、エレベータ制御盤２及び群管理盤３に伝わる。ＬＥＤ５ａ，７ａは、発光することによりボタンを点灯し、乗場における乗場呼び登録状況、又はかご１内における行先呼び登録状況を視覚的に利用者に知らせる。
【００１３】
乗場表示器４及び乗場操作盤５には、乗場発光制御装置（ＬＥＤドライバインターフェース）８が接続されている。乗場表示器４及び乗場操作盤５のＬＥＤ４ａ，５ａの発光・消灯は、乗場発光制御装置８によって制御される。かご表示器６及びかご操作盤７には、かご発光制御装置９が接続されている。かご表示器６及びかご操作盤７のＬＥＤ６ａ，７ａの発光・消灯は、かご発光制御装置９によって制御される。
【００１４】
乗場発光制御装置８及びかご発光制御装置９は、エレベータ制御盤２に接続されており、エレベータ制御盤２によるかご１の運転状況に基づいて、各ＬＥＤ４ａ〜８ａの発光・消灯を制御する。例えば、乗場操作盤５のボタンが押圧され、エレベータ制御盤２が乗場呼びを登録すると、乗場発光制御装置８は、その押圧されたボタンに対応するＬＥＤ５ａを発光させ、ボタンを点灯させる。
【００１５】
ここで、乗場発光制御装置８及びかご発光制御装置９は、各ＬＥＤ４ａ〜８ａの発光周期を変調し、各ＬＥＤ４ａ〜８ａを（高速）点滅させることにより、各ＬＥＤ４ａ〜８ａから光信号をなす可視光を放射させる。この発光周期（点滅周期）は、利用者に視認不可な周期に設定されている。
【００１６】
各ＬＥＤ４ａ〜８ａから放射された光信号は、利用者が乗場でかご１の到着を待っているか、又は利用者がかご１内に乗車しているときに、その利用者が所持する情報端末（例えば携帯電話等）１０により受信される。情報端末１０は、受光部１０ａ及び表示部１０ｂを有している。より具体的に、情報端末１０が光信号の受信待機モードに設定されて、ＬＥＤ４ａ〜７ａのうちの発光しているＬＥＤにその情報端末１０の受光部１０ａが向けられたときに、光信号が情報端末１０に受信される。
【００１７】
乗場発光制御装置８及びかご発光制御装置９は、各ＬＥＤ４ａ〜８ａから放射された光信号を通じて、所定の情報を情報端末１０に配信する。この所定の情報とは、かご１の運転状況に関わる運転情報（運行情報）と、エレベータの設置環境に関わる一般情報とである。乗場発光制御装置８及びかご発光制御装置９は、エレベータ制御盤２から運転情報を受ける。
【００１８】
ここで、乗場発光制御装置８から配信される運転情報と、かご発光制御装置９から配信される運転情報とは、互いに情報の内容が異なっており、乗場発光制御装置８から配信される運転情報は、例えば割り当てられたかご１の号機番号、その乗場でのかご１の到着予測時間、現在のかご１の乗車率、及びかご１の内部の映像等の乗場呼び登録された時点の情報である。これに対して、かご発光制御装置９から配信される運転情報は、例えば行先階呼び登録された乗場階へのかご１の到着予測時間等の行先階呼び登録された時点の情報である。
【００１９】
さらに、乗場発光制御装置８及びかご発光制御装置９には、一般情報配信用コンピュータ１１が接続されている。一般情報配信用コンピュータ１１には、一般情報が格納されており、乗場発光制御装置８及びかご発光制御装置９は、一般情報配信用コンピュータ１１から一般情報を受ける。一般情報は、例えば天気予報、催事開催予告、建物のフロアガイド、及び建物内・近隣商店の広告等の情報であり、管理者により任意に設定可能となっている。
【００２０】
つまり、乗場発光制御装置８及びかご発光制御装置９は、光信号を用いた光空間伝送によって、運転情報及び一般情報の一方又は両方を情報端末１０に配信する。情報端末１０は、光信号を受けると、運転情報及び一般情報の一方又は両方を表示部１０ｂに表示させる。
【００２１】
ここで、乗場発光制御装置８及びかご発光制御装置９は、演算処理部（ＣＰＵ）、記憶部（ＲＯＭ及びＲＡＭ等）及び信号入出力部を持ったコンピュータ（又はマイコン；図示せず）によりそれぞれ構成することができる。乗場発光制御装置８及びかご発光制御装置９のマイコンの記憶部には、それぞれ乗場発光制御装置８及びかご発光制御装置９の動作を実現するためのプログラムが格納されている。
【００２２】
次に、乗場発光制御装置８の発光制御動作について説明する。図２は、図１の乗場発光制御装置８の動作を示すフローチャートである。まず、乗場発光制御装置８は、エレベータ制御盤２により乗場呼びが登録されたかどうかを確認し（ステップＳ１）、乗場呼びが登録されるまで待機する。乗場呼びが登録されると、乗場発光制御装置８は、かご１の運転状況に応じた乗場表示器４のＬＥＤ４ａを発光させるとともに、その呼びに対応する乗場操作盤５のＬＥＤ５ａを発光させる（ステップＳ２）。
【００２３】
そして、乗場発光制御装置８は、配信すべき一般情報があるかどうかを確認する（ステップＳ３）。配信すべき一般情報がある場合、乗場発光制御装置８は、一般情報配信用コンピュータ１１から一般情報を取り込むとともに、エレベータ制御盤２から運転情報を取り込む（ステップＳ４）。一方、配信すべき一般情報が無い場合、乗場発光制御装置８は、エレベータ制御盤２から運転情報を取り込む（ステップＳ５）。
【００２４】
乗場発光制御装置８は、運転情報及び一般情報の一方又は両方を取り込むと、乗場表示器４のＬＥＤ４ａ、又は乗場操作盤５のＬＥＤ５ａの発光周期を変調し、ＬＥＤ４ａ又はＬＥＤ５ａを点滅させて、ＬＥＤ４ａ又はＬＥＤ５ａから光信号をなす可視光を放射させる（ステップＳ６）。そして、乗場発光制御装置８は、該当の乗場呼びが応答済となったかどうかを確認し、応答済になるまで、ＬＥＤ４ａ又はＬＥＤ５ａの点滅状態を維持する（ステップＳ７）。該当の乗場呼びが応答済となれば、乗場発光制御装置８は、ＬＥＤ４ａ又はＬＥＤ５ａを消灯させ、乗場呼びが登録されるまで待機する。
【００２５】
ここで、かご発光制御装置９の発光制御動作は、発光制御の対象がＬＥＤ６ａ又はＬＥＤ７ａとなる点と、起点となる動作が行先階呼び登録となる点とを除いて、図２に示すような乗場発光制御装置８の発光制御動作と同様である。
【００２６】
次に、情報端末１０の光信号受信動作について説明する。図３は、図１の情報端末１０の動作を示すフローチャートである。乗場操作盤５のＬＥＤ５ａが発光しているときに、情報端末１０が利用者により光信号の受信可能状態に配置・設定されると（ステップＳ１１）、情報端末１０は、光信号を受信する（ステップＳ１２）。そして、情報端末１０は、その光信号を変換して、運転情報及び一般情報の一方又は両方を取得し、取得情報を表示部１０ｂに表示させ（ステップＳ１３）、情報端末１０の光信号の受信動作が終了する。
【００２７】
上記のようなエレベータの情報配信システムでは、乗場発光制御装置８及びかご発光制御装置９によって、ＬＥＤ４ａ〜７ａの発光周期が変調されてＬＥＤ４ａ〜７ａから光信号をなす可視光が放射され、その光信号を通じて所定の情報が情報端末１０に配信されるので、従来のシステムのようなかご内表示パネル等が不要となることにより、安価な構成で利用者に所定の情報を提供することができる。
【００２８】
また、乗場発光制御装置８及びかご発光制御装置９が光信号を用いて所定の情報を情報端末１０に配信するので、文字、音声、映像及び画像等のコンテンツの種別を問わずに、様々な情報を利用者に提供することができる。
【００２９】
なお、実施の形態１では、乗場表示器４、乗場操作盤５、かご表示器６及びかご操作盤７のＬＥＤ４ａ〜７ａから光信号をなす可視光を放射した場合について説明したが、かご又は乗場に設けられたＬＥＤを光源として有する照明機器のＬＥＤから光信号をなす可視光を放射させても、同様の効果を得ることができる。
【００３０】
また、実施の形態１では、乗場発光制御装置８及びかご発光制御装置９とエレベータ制御盤２とが互いに別々のものとして構成されていたが、発光制御部とエレベータ制御部とが互いに一体に構成されていてもよい。
【００３１】
さらに、実施の形態１では、乗場発光制御装置８及びかご発光制御装置９が乗場呼び又は行先階呼びが登録された時点での運転情報・一般情報を配信していたが、かごの運転状況に応じて変更又は更新した運転情報・一般情報を配信してもよい。
【００３２】
さらにまた、操作盤又は表示器の発光素子が複数色であってもよい。この場合、例えば所定の情報を配信中のときには、緑色ＬＥＤを発光させて、所定の情報が配信されていないときには、赤色ＬＥＤを発光させるように、配信状態に応じて発光色を切り換えてもよい。これによって、所定の情報を配信中であるかどうかを利用者が識別可能となる。
【００３３】
また、実施の形態１では、発光素子としてＬＥＤ４ａ〜７ａを用いたが、発光素子はＬＥＤに限るものではなく、発光周期の変調による光信号の生成が可能で、かつ可視光を放射可能なものであればよい。
【図面の簡単な説明】
【００３４】
【図１】この発明の実施の形態１によるエレベータの情報配信システムを示す構成図である。
【図２】図１の乗場発光制御装置の発光制御動作を示すフローチャートである。
【図３】図１の情報端末の光信号受信動作を示すフローチャートである。
【符号の説明】
【００３５】
１  かご、４  乗場表示器、４ａ〜７ａ  ＬＥＤ（発光素子）、５  乗場操作盤、６  かご表示器、７  かご操作盤、８  乗場発光制御装置（発光制御部）、９  かご発光制御装置（発光制御部）、１０  情報端末、１０ａ  受光部、１０ｂ  表示部。
【図１】
2009023736.tif 000003
【図２】
2009023736.tif 000004
【図３】
2009023736.tif 000005